(57)【特許請求の範囲】
【請求項１】
２本のロープが、それぞれ、突っ張り棒に沿って上下に移動するロープ端固定部品から、突っ張り棒に沿って上下に移動する物干し竿中央保持部品及び天井面側固定プレートに設けられた回転体を介して物干し竿両端保持部品に固定され、突っ張り棒のロープ端固定部品より下部の位置に固定用部品が設けられた室内洗濯物干し竿簡易上下器具であって、物干し竿を使用する際には、ロープ端固定部品と物干し竿中央保持部品とを固定し、物干し竿を使用しない際には、ロープ端固定部品と固定用部品とを固定する室内洗濯物干し竿簡易上下器具。
【請求項２】
ロープを物干し竿両端に固定する部品を設けたことを特徴とする請求項１の室内洗濯物干し竿簡易上下器具。
【請求項３】
天上面側固定プレートにある回転体から垂直に垂れ下がる２本のロープ端を固定する部品を設けたことを特徴とする請求項１の室内洗濯物干し竿簡易上下器具。
【請求項４】
ロープ端固定部品を突っ張り棒本体に固定する部品を設けたことを特徴とする請求項１の室内洗濯物干し竿簡易上下器具。
【請求項５】
洗濯物干し竿の中央で竿を水平方向に固定し、突っ張り棒を案内として上下方向に移動する時の穴と、その穴の両側にロープを通す穴を有する物干し竿中央保持部品を設けたことを特徴とする請求項１の室内洗濯物干し竿簡易上下器具。
【発明の詳細な説明】
【技術分野】
【０００１】本発明は室内の天井等から懸架するタイプの洗濯物干し竿等の棒を上下に移動させ、所定の位置で保持固定する機構に関するものである。【０００２】本発明における室内洗濯物干し竿等簡易上下器具は、まず従来技術である突っ張り棒と突っ張り棒を天井面側で固定するプレート、および床面側で固定するプレートを使い室内用洗濯物干し器具等の土台を形成するものである。【０００３】本発明では突っ張り棒の天井面側固定プレートに２本のロープを保持吊るす機構があり、吊るされたロープを洗濯物干し竿等の棒両端に固定して洗濯物干し竿等の棒を保持する。そして天井面側固定プレートから垂直に垂れ下がる２本のロープ長さを同じにして反対側のロープ端を固定した部品を上下に移動させることで、必要時に簡単かつ容易に洗濯物干し竿等の棒を洗濯物干し作業位置に下げることができる。
また、洗濯物干し作業が終わればロープ端を固定した部品を下方向に引き下げることで簡単かつ容易に洗濯物干し竿等の棒を天井面近くまで持ちあげることができ、この位置でロープ端固定部品を突っ張り棒本体に固定することで洗濯物干し竿等の棒を天井面近くに保持することができる。上記のように、本発明は室内用洗濯物干し器具等における新規な機構、装置を提供するものである。
【背景技術】
【０００４】従来技術の天井から懸架する室内用洗濯物干し器具は、天井に支持具を固着し、支持具にあるロープの巻き取り機構からロープを出し入れすることで洗濯物干し竿等の棒を懸架する装置がいろいろ提案されている。【０００５】しかしながら、従来の天井面に支持具を固着するものは、家を新築する時などはじめから室内用洗濯物干し装置が設けられることが多く、後付けする場合は天井面に加工をする必要があった。しかも天井面の構造強度から設置場所が制約され、後付けできないこともある。また従来の洗濯物干し竿等の棒を懸架する室内用洗濯物干し装置は一度設置したら設置場所以外には移動することができない。【０００６】従来の天井面支持具の洗濯物干し装置は、洗濯物干し竿等の棒を上げ下げをするのに天井面の支持具にあるロープの巻き取り機構をハンドル棒を使って動かしたり、電動モータなどで動かしているがどちらも数秒では上げ下げの操作ができずに作業に時間が掛かっている。
【発明の概要】
【発明が解決しようとする課題】
【０００７】本発明は上述の点に鑑みてなされたもので、従来技術では天井面に支持具取り付けの加工をする必要があったが、本発明では天井面の加工は不要であり、天井面の強度に関係なく天井面からの懸架により洗濯物干し竿等の棒を上下に移動させることができる器具を提供するものである。【０００８】従来技術では、洗濯物干し竿等の棒の上げ下げにハンドル棒を使ったり、電動モータなどを使用しているが、いずれもその作業には比較的時間が掛かっていた。本発明では洗濯物干し竿等の棒の上げ下げは数秒で行なうことができ、高額な電動モータなども使用しないで洗濯物干し竿等の棒を簡単かつ容易に上下に移動させることができる器具を提供するものである。
【課題を解決するための手段】
【０００９】本発明は上記課題を解決するために、既存の突っ張り棒を利用して新しい機構と組み合わせることで簡単な構造での室内洗濯物干し竿等簡易上下器具を提供する。【００１０】既存の突っ張り棒の天井面側固定プレート１にロープ９を吊るす軸１３を設け、吊るされたロープ９の移動を容易にするための回転部品１４を軸部に設けたことを特徴とする室内物干し竿等簡易上下器具の中でのロープ保持機構を設ける。【００１１】物干し竿１２の両端に天井面側固定プレート１からのロープ９を固定して物干し竿１２を保持する物干し竿両端保持部品３，６を設ける。物干し竿両端保持部品３，６からのロープ９は、天井面側固定プレート１にあるロープ保持機構を介することで物干し竿１２を吊るして保持する。天井面側固定プレート１のロープ保持機構から垂直に垂れ下がる２本ロープ９のもう一端を固定する部品４を設ける。【００１２】天井面側固定プレート１のロープ保持機構から垂直に垂れ下がる２本のロープ９を固定する部品４を上下に動かすと物干し竿１２も連動して上下に動くことになる。
物干し竿１２を天井面近くの高い位置で保持固定するのに２本のロープ端固定部品４を引き下げた位置で、上下に動かないように突っ張り棒７本体の固定用部品１１にロック部品１０を使って固定する。【００１３】物干し竿１２の中央に竿を水平に保持固定する物干し竿中央保持部品２，５を設ける。この部品には突っ張り棒７を案内とする上下移動時のガイド穴１６があり、その穴の両側には天井面側固定プレート１のロープ保持機構から垂れ下がる２本のロープ９を通すガイド穴１７がある。【００１４】室内用洗濯物干し器具においてロープ端固定部品４がロックされていないで上下移動できる状態にある時、物干し竿部は自重で下がり反対に２本のロープ端固定部品４は上がる。そして物干し竿中央保持部品２，５とロープ端固定部品４が上下移動で突き当たる位置、すなわち洗濯物干しの作業をする位置で物干し竿部は動かなくなり保持固定される。
【発明の効果】
【００１５】上記構成による効果は次のごとくである。
本発明の室内洗濯物干し竿等簡易上下器具を洗濯物干し等として使用していない時は、ロープ端固定部品４を下方に引き下げ突っ張り棒７の固定用部品１１にロック部品１０で固定することで天井面近くに物干し竿１２を保持固定しておくことができる。洗濯物干し等として使用したい時、土台である突っ張り棒７に固定してあるロープ端固定部品４のロック部品１０をはずすことで、天井面近くにあった物干し竿１２は上下に移動可能となる。そして物干し竿１２を保持している物干し竿中央保持部品２，５とロープ端固定部品４が、上下位置で突き当たった位置で物干し竿１２は上下に動かなくなる。洗濯物はこの物干し竿１２が下がった位置で取り付けができるので楽な姿勢で作業することができる。洗濯物の取り付けが終わったら、ロープ端固定部品４を下方に移動させ、突っ張り棒７の固定用部品１１にロック部品１０で固定することでまた天井面近くの高い位置に物干し竿１２を保持固定することができる。このように物干し竿１２は天井面近くの高い位置に保持固定されるので生活空間を奪われることはない。そして一連の作業はロープ端固定部品４の上下移動操作と突っ張り棒７にロープ端固定部品４を固定するためのロック操作のみで短時間に簡単にできる。また、本発明の室内用洗濯物干し竿等簡易上下器具の取り付けをするのに天井面の加工は不要であり、室内洗濯物干し竿等簡易上下器具は他の場所に移動することも容易である。
【発明の実施形態及び実施例】
【００１６】本発明の実施の形態を図１、図２及び図３、図４に基づき説明する。図１、図２は室内用洗濯物干し竿を２本懸架する場合の室内用洗濯物干し器具の全体構成図である。図３、図４は室内用洗濯物干し竿を１本懸架する場合の室内用洗濯物干し器具の全体構成図である。
【００１７】物干し竿１２を２本懸架する場合も１本懸架する場合も既存の突っ張り棒を室内用洗濯物干し器具等の土台にすることは同じである。また、次のことについても物干し竿を２本懸架、１本懸架で内容は同じである。突っ張り棒の天井面側固定プレート１にロープ９を吊るす軸１３を２ヶ所対称位置に設け、かつ吊るされたロープ９の移動を容易にするための回転体１４を軸部に設ける。この軸部、回転部は吊るされたロープ９がはずれることなく安定して移動できるよう軸部を保持する壁板１５をロープ移動時の案内となるような形状にする。そして天井面側固定プレート１のロープ保持機構から垂直に垂れ下がる２本のロープ９は、長さを同じにしてロープ端固定部品４に固定される。
【００１８】図１、図２の洗濯物干し竿を２本懸架する場合の室内用洗濯物干し器具の実施形態及び実施例について説明する。突っ張り棒の天井面側固定プレート１に吊るされたロープ９は物干し竿１２の両端を連結している物干し竿両端保持部品３のロープ懸架用穴１９に結ばれる。物干し竿１２の中央には、突っ張り棒を上下移動時の案内軸とするガイド穴１６と天井面側固定プレート１のロープ保持機構から垂れ下がる２本のロープ９を通すロープガイド穴１７を備え、かつ２本の物干し竿１２を保持固定する穴１８をもつ物干し竿中央保持部品２がある。そして物干し竿保持固定穴１８は竿の脱着のため２分割構造にする。
【００１９】次に図３、図４の洗濯物干し竿を１本懸架する場合の室内用洗濯物干し器具の実施形態及び実施例について説明する。突っ張り棒の天井面側固定プレート１に吊るされたロープ９は物干し竿１２の両端にある物干し竿両端保持部品６のロープ懸架用穴１９に結ばれる。この部品では物干し竿１２の軸心位置に対してロープ９の懸架用の穴１９を突っ張り棒の軸心位置に合致するように配置する。
さらに物干し竿１２に洗濯物を干した時、物干し竿１２がその重さでロープ懸架に対し回転しないようにバランスをとるための棒状部品２０があり、この部品に洗濯物を干す位置でバランスどりをする。物干し竿１２の中央には突っ張り棒を上下移動時の案内軸とするガイド穴１６と天井面側固定プレート１のロープ保持機構から垂れ下がる２本のロープ９を通すロープガイド穴１７を備え、かつ物干し竿１２を保持固定する穴１８をもつ物干し竿中央保持部品５がある。そして物干し竿保持固定穴１８は竿の脱着のため２分割構造にする。
【図面の簡単な説明】
【００２０】
【図１】  ２本の洗濯物干し竿の全体構成図−物干し竿高い位置
【図２】  ２本の洗濯物干し竿の全体構成図−物干し竿低い位置
【図３】  １本の洗濯物干し竿の全体構成図−物干し竿高い位置
【図４】  １本の洗濯物干し竿の全体構成図−物干し竿低い位置
【図５】  天井面側固定プレート  正面図
【図６】  天井面側固定プレート  下面図
【図７】  ２本物干し竿中央保持部品  上面図
【図８】  ２本物干し竿中央保持部品  右側面図
【図９】  ２本物干し竿両端保持部品  上面図
【図１０】  ２本物干し竿両端保持部品  左側面図
【図１１】  ロープ端固定部品  上面図
【図１２】  ロープ端固定部品  正面図
【図１３】  １本物干し竿中央保持部品  上面図
【図１４】  １本物干し竿中央保持部品  右側面図
【図１５】  １本物干し竿両端保持部品  上面図
【図１６】  １本物干し竿両端保持部品  右側面図
【符号の説明】
【００２１】  １  天井面側固定プレート
２  ２本物干し竿中央保持部品
３  ２本物干し竿両端保持部品
４  ロープ端固定部品
５  １本物干し竿中央保持部品
６  １本物干し竿両端保持部品
７  突っ張り棒
８  床面側固定プレート
９  ロープ
１０  ロック部品
１１  固定用部品
１２  物干し竿
１３  軸
１４  回転体
１５  案内壁板
１６  突っ張り棒ガイド穴
１７  ロープガイド穴
１８  物干し竿保持固定穴
１９  ロープ懸架用穴
２０  バランス棒
【要約】
【課題】室内で洗濯物を干した場合、洗濯物が傷害となり干した空間は洗濯物を干すためだけに使われ生活空間を狭くしてしまう問題がある。
【解決手段】従来技術の突っ張り棒で室内洗濯物干し器具の土台を形成する。次に突っ張り棒天井面側固定プレートにロープを吊り下げるための部位を設け、吊り下げられたロープの移動を容易にするための回転部を設ける。天井面プレートからのロープを洗濯物干し竿の両端に結ぶ。天井面プレートから垂れ下がる２本のロープ端を固定する部品を設け、この部品を上下させることで物干し竿を上下に移動する機構を形成する。上下に移動する物干し竿を天井面近くの高い位置で保持するのに、ロープ端固定部品を引き下げた位置で突っ張り棒本体に固定して上下移動しないようにする。
以上のような機構にすることで、室内洗濯物干し竿等簡易上下器具を提供できる。
【選択図】図１【図１】
0005283027.tif 000002
【図２】
0005283027.tif 000003
【図３】
0005283027.tif 000004
【図４】
0005283027.tif 000005
【図５】
0005283027.tif 000006
【図６】
0005283027.tif 000007
【図７】
0005283027.tif 000008
【図８】
0005283027.tif 000009
【図９】
0005283027.tif 000010
【図１０】
0005283027.tif 000011
【図１１】
0005283027.tif 000012
【図１２】
0005283027.tif 000013
【図１３】
0005283027.tif 000014
【図１４】
0005283027.tif 000015
【図１５】
0005283027.tif 000016
【図１６】
0005283027.tif 000017